(57)【要約】【課題】装置の適切な使用時間を超えて使用を続けた場合に、安全性を高めつつ、寿命であることを使用者へ伝え交換を促すとともに、誘導灯等の表示装置の特性上不都合を起こさないことを目的とする。【解決手段】タイマー１１が計測した通電期間が、不揮発性メモリ１３に予め記憶した耐用期限を超えた場合、電源５０から電力の供給がある常用時にはＬＥＤアレイＡ７とＬＥＤアレイＢ８とを点灯させないように制御するとともに、電源５０から電力の供給がない非常時には電池４から供給される電力によりＬＥＤアレイＡ７とＬＥＤアレイＢ８とを点灯させるように制御する。【選択図】図１
2009187822.tif 000002
【特許請求の範囲】
【請求項１】
所定の情報を表示する情報表示部と、
上記情報表示部に光を入射する光源と、
常用時には商用電源から供給される電力により上記光源を点灯させ、上記商用電源から電力が供給されない非常時には非常時電源から供給される電力により上記光源を点灯させる制御部と、
上記商用電源から電力が供給された通電期間を計測して記憶装置に記憶する通電期間計測部と、
所定の期間を記憶装置に記憶する期間記憶部とを備え、
上記制御部は、上記通電期間計測部が計測した通電期間が上記期間記憶部が記憶した所定の期間を超えた場合、常用時には上記光源を点灯させず、非常時には非常時電源から供給される電力により上記光源を点灯させる
ことを特徴とする表示装置。
【請求項２】
上記制御部は、上記通電期間が上記所定の期間を超えた場合、所定の間隔毎に上記光源を点滅させる
ことを特徴とする請求項１に記載の表示装置。
【請求項３】
上記制御部は、上記表示装置の構成部品の動作状況を監視して、上記動作状況を示す情報を記憶装置に記憶し、
上記表示装置は、さらに、
上記記憶装置に記憶された情報を表示する状態表示部と
を備えることを特徴とする請求項１又は２に記載の表示装置。
【請求項４】
上記記憶装置は、不揮発性メモリである
ことを特徴とする請求項１から３までのいずれかに記載の表示装置。
【発明の詳細な説明】
【技術分野】
【０００１】
本発明は、例えば、非常時においても所定の情報を表示する誘導灯等の表示装置に関する。
【背景技術】
【０００２】
常用時には電源から供給される電力により光源を点灯させ、非常時には内蔵されたバッテリーから供給される電力により光源を点灯させる誘導灯がある。
また、誘導灯とは異なる装置において、予め所定の期間を寿命として定め、所定の期間を超えて使用を続けた場合、強制的に動作しないようにする装置がある。
【特許文献１】特開２００５−２８５４０７号公報
【発明の開示】
【発明が解決しようとする課題】
【０００３】
適切な使用時間を超えて誘導灯等の装置の使用を継続した場合、故障するおそれが高くなる。故障してしまうと、特に誘導灯等の必要性の高い非常時にも、誘導灯等は動作しなくなってしまう。また、安全性の観点からも適切な使用時間を超えて使用を継続することは好ましくない。
一方、適切な使用時間を超えて使用を継続した場合に、強制的に動作しないようにすることは、非常時において特に必要性の高い誘導灯等の特性上好ましくない。
本発明は、例えば、装置の適切な使用時間を超えて使用を続けた場合に、安全性を高めつつ、寿命であることを使用者へ伝え交換を促すとともに、誘導灯等の表示装置の特性上不都合を起こさないことを目的とする。
【課題を解決するための手段】
【０００４】
本発明に係る表示装置は、例えば、所定の情報を表示する情報表示部と、
上記情報表示部に光を入射する光源と、
常用時には商用電源から供給される電力により上記光源を点灯させ、上記商用電源から電力が供給されない非常時には非常時電源から供給される電力により上記光源を点灯させる制御部と、
上記商用電源から電力が供給された通電期間を計測して記憶装置に記憶する通電期間計測部と、
所定の期間を記憶装置に記憶する期間記憶部とを備え、
上記制御部は、上記通電期間計測部が計測した通電期間が上記期間記憶部が記憶した所定の期間を超えた場合、常用時には上記光源を点灯させず、非常時には非常時電源から供給される電力により上記光源を点灯させる
ことを特徴とする。
【発明の効果】
【０００５】
本発明に係る表示装置は、通電期間が所定の期間を超えた場合、商用電源からの電力により光源を点灯させない。したがって、適切な使用時間を超えた場合には動作を停止させることで安全性を高めつつ、使用者へ寿命であることを伝達するとともに、非常時の動作まで停止させないことにより、非常時は表示装置としても役割を果たすことができる。
【発明を実施するための最良の形態】
【０００６】
実施の形態１．
誘導灯１００は、他の一般的な装置と同様に、適切な使用時間を超えて使用を続けると消耗部品の劣化等により故障する可能性が高くなる。また、予期せぬ故障を防止する意味では、適切な使用時間を超えて使用を続けた場合には、誘導灯１００の動作を停止させることが望ましい。しかし、誘導灯１００は、非常時に非常口等を知らせ誘導するために使用されるものである。そのため、適切な使用時間を超えて使用を継続した場合であっても、強制的に動作を完全に停止させ、非常時に誘導する役割を果たせないことは好ましくない。
この実施の形態では、この課題を解決した誘導灯１００について説明する。
なお、ここでは、表示装置の一例として誘導灯１００を用いて説明するが、表示装置は誘導灯１００に限らず、他の情報を表示する装置であっても構わない。
【０００７】
図１は、誘導灯１００の外観を示す図である。図１（ａ）は、誘導灯１００の斜視図であり、図１（ｂ）は、誘導灯１００の分解斜視図である。
誘導灯１００は、器具本体１１０、情報表示部１２０、ＬＥＤユニット１３０、点灯制御部１４０、状態表示部１５０、電源端子台１６０を備える。
器具本体１１０は、箱型の部材であり、内部に点灯制御部１４０、状態表示部１５０、電源端子台１６０等が取り付けられる。
情報表示部１２０は、避難誘導を示す図柄が表示された部材であり、器具本体１１０の開口部を塞ぐように器具本体１１０に取り付けられる。ここでは、情報表示部１２０は、情報表示部１２０Ａと情報表示部１２０Ｂとの２つが、器具本体１１０の両面に取り付けられている。なお、情報表示部１２０に他の図柄を表示することで、他の情報を表示する表示装置とすることが可能である。
ＬＥＤユニット１３０は、ＬＥＤアレイＡ７（又はＬＥＤアレイＢ８）が設けられた部材であり、器具本体１１０又は情報表示部１２０に取り付けられる。ＬＥＤアレイＡ７とＬＥＤアレイＢ８とは光源の一例である。ＬＥＤユニット１３０は、ＬＥＤアレイＡ７（又はＬＥＤアレイＢ８）が放出した光を拡散して、情報表示部１２０へ光を入射し、情報表示部１２０の明るさが均一になるようにする。ここでは、情報表示部１２０Ａに光を入射するＬＥＤアレイＡ７を備えたＬＥＤユニット１３０Ａと、情報表示部１２０Ｂに光を入射するＬＥＤアレイＢ８を備えたＬＥＤユニット１３０Ｂとが器具本体１１０に取り付けられる。
点灯制御部１４０は、常用時には商用電源からの電力によりＬＥＤアレイＡ７とＬＥＤアレイＢ８とを点灯させ、上記商用電源から電力が供給されない停電時等の非常時には非常時電源からの電力によりＬＥＤアレイＡ７とＬＥＤアレイＢ８とを点灯させる。非常時電源とは、例えば、後述する電池４（バッテリー）である。
状態表示部１５０は、モニタ用ＬＥＤや操作用スイッチが誘導灯１００の下面部で外部へ臨むように内蔵され、ＬＥＤユニット１３０や点灯制御部１４０等、誘導灯１００の構成部品の状態を表示する。
電源端子台１６０は、商用電源と接続される。
【０００８】
図２は、誘導灯１００の回路図である。
誘導灯１００は、ダイオードブリッジ１、ＤＣ／ＤＣコンバータＡ２、ＤＣ／ＤＣコンバータＢ３、電池４、充電回路５、電圧検出部６、ＬＥＤアレイＡ７、ＬＥＤアレイＢ８、ランプ点灯装置９、マイコン１０（マイクロコンピュータ）、発振子１２、不揮発性メモリ１３（記憶装置）、ランプ電流検出部１４、点検・表示部１５を備える。
なお、図１に基づき説明した誘導灯１００の点灯制御部１４０は、ＤＣ／ＤＣコンバータＡ２、ＤＣ／ＤＣコンバータＢ３、電池４、充電回路５、電圧検出部６、ランプ点灯装置９、マイコン１０、発振子１２、不揮発性メモリ１３、ランプ電流検出部１４を備える。状態表示部１５０は、点検・表示部１５を備える。上述したように、ＬＥＤユニット１３０がＬＥＤアレイＡ７、ＬＥＤアレイＢ８を備える。また、点灯制御部１４０が備える構成部品の一部を電源端子台１６０が備えるとしても構わない。
【０００９】
ダイオードブリッジ１は、交流電源である電源５０の電流を整流して直流にする。
ＤＣ／ＤＣコンバータＡ２は、電源５０（商用電源）の電圧を整流平滑した直流を数十Ｖに降圧する絶縁トランスを有する。
ＤＣ／ＤＣコンバータＢ３は、電池４の電圧を昇圧する。
電池４は、非常時に電力を供給するバッテリーである。
充電回路５は、ＤＣ／ＤＣコンバータＡ２の出力により、電池４を充電する。
電圧検出部６は、電源５０の電圧を検出する。
ＬＥＤアレイＡ７とＬＥＤアレイＢ８とは、上述したように、情報表示部１２０に光を入射する。
ランプ点灯装置９は、ＤＣ／ＤＣコンバータＡ２又はＤＣ／ＤＣコンバータＢ３の出力により、ＬＥＤアレイＡ７とＬＥＤアレイＢ８とを点灯する。
マイコン１０は、誘導灯１００の動作を制御する制御部である。マイコン１０は、所定の時間を計測するタイマー１１（通電期間計測部）を備える。また、マイコン１０は、消灯信号、停電判定信号、ＲＥＳＥＴ信号、電池電圧検出信号、出力電圧検出信号、ランプ異常検出信号等の信号を受信し、電源切替信号、ランプＯＮ信号、ランプＯＦＦ信号、ランプ電流切替信号等の信号を送信する。これらの信号に関連するマイコン１０の動作については後述する。なお、ここでは、マイコン１０がタイマー１１を備えるとしたが、タイマー１１はマイコン１０とは別部品としても構わない。また、マイコン１０は、ＬＥＤアレイＡ７やＬＥＤアレイＢ８の電圧や電池電圧をマイコン１０の電源電圧に左右されず正確に電圧を検出する為に使用する基準電圧を不揮発性メモリ１３又は内蔵したメモリに記憶する。
発振子１２は、所定の周波数を刻む。
不揮発性メモリ１３は、例えば、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の記憶装置であり、マイコン１０の指示により所定の情報を記憶する。
点検・表示部１５は、誘導灯１００の構成部品の状態を点検させる指示を出し、その結果を表示する。点検・表示部１５は、自己点検スイッチ１６、点検スイッチ１７、点灯時間リセットスイッチ１８、モニタ１９を備える。
自己点検スイッチ１６は、誘導灯１００の構成部品の点検を実行させる指示を出すタイミングを設定するためのスイッチである。
点検スイッチ１７は、誘導灯１００の構成部品の点検を実行させる指示を誘導灯１００の外部から入力するためのスイッチである。
点灯時間リセットスイッチ１８は、ＬＥＤアレイＡ７とＬＥＤアレイＢ８との累積点灯時間をリセット（初期化）する指示を出すスイッチである。点灯時間リセットスイッチ１８は、例えば、ＬＥＤアレイＡ７やＬＥＤアレイＢ８が交換された場合等に使用される。
モニタ１９は、自己点検スイッチ１６又は点検スイッチ１７からの指示により点検を行った結果を表示する表示装置である。モニタ１９は、例えば、緑、赤、黄の３色のＬＥＤモニタである。
【００１０】
まず、誘導灯１００の基本的な動作を説明する。
（１）電源５０から電力の供給がある場合
電源５０から電力の供給がある場合、ＤＣ／ＤＣコンバータＡ２の出力により充電回路５を介して電池４が充電される。また、ＤＣ／ＤＣコンバータＡ２の出力は、ランプ点灯装置９を介してＬＥＤアレイＡ７とＬＥＤアレイＢ８とへ電力を供給される。そして、ＬＥＤアレイＡ７とＬＥＤアレイＢ８とは表示面を点灯する。
この際、マイコン１０は、ランプ電流切替信号により、ＬＥＤアレイＡ７とＬＥＤアレイＢ８とへ供給される電流が所定の値となるようにＤＣ／ＤＣコンバータＡ２を動作させる。つまり、ランプ電流検出部１４で検出される電圧値が所定の値となるようにＤＣ／ＤＣコンバータＡ２は出力する電圧を調整するため、マイコン１０がランプ電流切替信号によりスイッチのＯＮ／ＯＦＦを切替して、ＤＣ／ＤＣコンバータＡ２が出力する電圧を制御する。なお、マイコン１０は、ＬＥＤ素子の短絡やオープンやＬＥＤアレイの接続有無を検出した際に入力されるランプ異常検出信号の入力等に基づき、ランプ電流切替信号の出力を切替する。
また、遠隔操作スイッチ５１が操作されることにより消灯信号が入力されると、マイコン１０はランプＯＦＦ信号を出力して、ＬＥＤアレイＡ７とＬＥＤアレイＢ８とを消灯させる。再度遠隔操作スイッチ５１が操作され、消灯信号の入力が解除されると、マイコン１０はランプＯＮ信号を出力してＬＥＤアレイＡ７とＬＥＤアレイＢ８とを点灯させる。
（２）電源５０からの電力の供給がない場合
停電になり、電源５０からの電力の供給がなくなると、電圧検出部６は停電であると判定して、停電を示す停電判定信号をマイコン１０へ入力する。すると、マイコン１０は、停電を示す電源切替信号を出力して、電池４の電圧をＤＣ／ＤＣコンバータＢ３により昇圧して、ＬＥＤアレイＡ７とＬＥＤアレイＢ８とへ電力を供給するように切替する。そして、ＬＥＤアレイＡ７とＬＥＤアレイＢ８とを電池４が供給する電力により点灯する。
この際も、（１）の場合と同様に、マイコン１０は、ランプ電流切替信号により、ＬＥＤアレイＡ７とＬＥＤアレイＢ８とへ供給される電流が所定の値となるようにＤＣ／ＤＣコンバータＢ３を動作させる。
なお、再び電源５０からの電力が供給されると、電圧検出部６は通電を示す停電判定信号をマイコン１０へ入力し、マイコン１０が通電を示す電源切替信号を出力して、ＤＣ／ＤＣコンバータＡ２の出力によりＬＥＤアレイＡ７とＬＥＤアレイＢ８とを点灯させる。
【００１１】
次に、誘導灯１００が適切な使用時間を超えて使用を継続した場合の動作について説明する。
まず、誘導灯１００の不揮発性メモリ１３（期間記憶部の一例）には、予め適切な使用時間（耐用期限）が記憶されているとする。
誘導灯１００の使用が開始されると、マイコン１０のタイマー１１は、電源５０と電池４とのいずれかから電力の供給がある時間を計測する。例えば、タイマー１１は、発振子１２が刻む周波数に基づき、出力電圧検出信号がマイコン１０へ入力されている時間、つまりＤＣ／ＤＣコンバータＡ２又はＤＣ／ＤＣコンバータＢ３からの出力電圧が検出されている時間を電源５０又は電池４からの電力の供給がある通電時間として計測する。タイマー１１は、電圧検出部６が電源５０の出力電圧を検出して通電を示す停電判定信号がマイコン１０へ入力されている時間と、停電を示す停電判定信号がマイコン１０へ入力されている場合に、電池電圧検出信号がマイコン１０へ入力されている時間（つまり電池４の出力電圧が検出されている時間）との合計時間を通電時間として計測するとしても、マイコン１０が動作している時間を通電時間として計測するとしても構わない。
そして、タイマー１１が計測した通電時間が、不揮発性メモリ１３に記憶された耐用期限を越えた場合、マイコン１０は電源５０から供給される電力によりＬＥＤアレイＡ７とＬＥＤアレイＢ８とが点灯しないように制御する。一方、通電時間が耐用期限を越えた場合であっても、電池４から供給される電力によりＬＥＤアレイＡ７とＬＥＤアレイＢ８とは点灯する。つまり、マイコン１０は、通電時間が耐用期限を越えた場合、電源５０から供給される電力によりＬＥＤアレイＡ７とＬＥＤアレイＢ８とが点灯しないように制御するが、電池４から供給される電力によりＬＥＤアレイＡ７とＬＥＤアレイＢ８とが点灯しないように制御しない。例えば、マイコン１０は、通電時間が耐用期限を越えた場合、通電を示す停電判定信号がマイコン１０へ入力されている間、ランプＯＦＦ信号を出力してＬＥＤアレイＡ７とＬＥＤアレイＢ８とが点灯しないように制御する。一方、マイコン１０は、停電を示す停電判定信号がマイコン１０へ入力されている間には、ランプＯＦＦ信号を出力せず（ランプＯＮ信号を出力して）ＬＥＤアレイＡ７とＬＥＤアレイＢ８とが点灯するように制御する。
例えば、耐用年限を１２年とした場合、通電時間が１２年間を経過した時点で、電源５０から供給される電力によるＬＥＤアレイＡ７とＬＥＤアレイＢ８との点灯を停止する。一方、万一停電した場合には、ＬＥＤアレイＡ７とＬＥＤアレイＢ８とを点灯できるようにしておく。
【００１２】
以上のように誘導灯１００が動作することにより、誘導灯１００が故障する前に、誘導灯１００の動作を停止することができる。つまり、コイル等の主幹部品であって、経年劣化による特性変化がある部品が故障する前に、寿命と推定された時間が経過したところで回路動作を止め消灯することによって、耐用年限を過ぎた事を知らしめ、製品の交換を促すことができる。そのため、誘導灯１００の製品寿命として誘導灯１００を回収することができる。
一方、非常時（例えば、停電時）においては、耐用年限を経過している場合であっても、誘導灯１００は耐用年限経過前と同様に動作する。そのため、耐用年限を経過したために、非常時において、誘導灯１００の光源（ＬＥＤアレイＡ７、ＬＥＤアレイＢ８）が点灯しないということがない。
【００１３】
なお、通電時間が耐用期限を越えた場合、ＬＥＤアレイＡ７とＬＥＤアレイＢ８とを消灯するとともに、点検・表示部１５が備えるモニタ１９の表示で、通電期間が耐用年限を経過したこと（回路の寿命が来たこと）を知らせても構わない。例えば、全てのモニタ１９のＬＥＤ、あるいはＬＥＤアレイＡ７、ＬＥＤアレイＢ８を点滅させ、通電期間が耐用年限を経過したことを知らせるようにしても構わない。
【００１４】
また、通電時間が耐用期限を越えた場合、ＬＥＤアレイＡ７とＬＥＤアレイＢ８とを所定の間隔で点滅させるとしても構わない。このようにすることにより、誘導灯１００が故障と勘違いされることを防止できる。
【００１５】
実施の形態２．
実施の形態１では、適切な時間を超えて使用を続けた場合、実際に故障が起こる前に、常用時の動作を停止することにより、安全性を確保しつつ、寿命であることを使用者へ伝達し、交換を促す誘導灯１００について説明した。この実施の形態では、さらに、適切な使用時間が経過するまで誘導灯１００を使用した場合等に、誘導灯１００の構成部品の状態を確認できるようにし、改良に役立つ情報を得ることができる誘導灯１００について説明する。
なお、この実施の形態に係る誘導灯１００の構成は、実施の形態１に係る誘導灯１００の構成と同様である。
【００１６】
誘導灯１００の使用が開始されると、実施の形態１で説明したようにマイコン１０のタイマー１１は、通電期間を計測する。そして、タイマー１１は、計測した通電期間を不揮発性メモリ１３に記憶する。したがって、不揮発性メモリ１３に記憶された情報を確認することで、確認時点における誘導灯１００の通電時間を知ることができる。
この実施の形態に係る誘導灯１００のマイコン１０は、通電時間に加え、ＬＥＤアレイＡ７とＬＥＤアレイＢ８との点灯累積時間や、誘導灯１００のその他の構成部品の状態を、不揮発性メモリ１３に定期的に記憶する。そして、寿命が来た場合や故障が発生した場合等に、不揮発性メモリ１３に記憶された情報を確認することで、寿命が来たときの誘導灯１００の状態の確認や故障の原因究明を行うことが可能となり、品質改良や故障の再発防止をすることができる。
ここで、誘導灯１００の構成部品の状態とは、回路等の構成部品に異常（故障）が発生したか否かという情報や、各構成部品に設けられた温度センサーにより得られた構成部品の温度等の情報である。
【００１７】
誘導灯１００は、例えば、点検・表示部１５のモニタ１９に不揮発性メモリ１３が記憶した情報を表示する。
図３は、状態表示部１５０を下（図１のＡ方向）から見た図である。上述したように、状態表示部１５０は点検・表示部１５を備え、点検・表示部１５は、自己点検スイッチ１６、点検スイッチ１７を備える。ここで、例えば、自己点検スイッチ１６と点検スイッチ１７とを同時に長押し（例えば、１０秒以上押す）した場合、不揮発性メモリ１３が記憶した構成部品の異常に関する情報をモニタ１９に表示する。
図４は、モニタ１９が構成部品の異常に関する情報を表示する表示方法を示す図である。ここでは、モニタ１９は、緑、赤、黄の３色のＬＥＤであるとする。また、図４で示す各ＬＥＤの表示内容は、左から右へ時間が経過するものとし、網掛け（Ｈｉｇｈ）が点灯、白抜き（Ｌｏｗ）が不点灯である。例えば、ＤＣ／ＤＣコンバータＡ２の異常の場合の緑ＬＥＤの表示は、短時間の点灯と短時間の不点灯とを繰り返すことを意味する。また、ＤＣ／ＤＣコンバータＢ３の異常の場合の緑ＬＥＤの表示は、長時間の点灯と長時間の不点灯とを繰り返すことを意味する。また、ＬＥＤアレイＡ７の短絡の場合の緑ＬＥＤの表示は、常時点灯することを意味する。また、ＬＥＤアレイＢ８の短絡の場合の緑ＬＥＤの表示は、常時不点灯であることを意味する。つまり、３色のＬＥＤの点灯パターンにより、構成部品の異常の発生箇所や異常の内容を特定可能としている。
また、例えば、自己点検スイッチ１６のみを長押しした場合、不揮発性メモリ１３が記憶した通電時間を表示し、点検スイッチ１７のみを長押しした場合、点灯累積時間を表示するとしても構わない。通電時間や点灯累積時間は、例えば、どの色のＬＥＤを点灯するかやＬＥＤの点滅の速度により時間の長短を示す。
【００１８】
また、不揮発性メモリ１３を誘導灯１００から取り外し、データ読出表示装置により不揮発性メモリ１３が記憶した情報を読み出し、表示するとしてもよい。
図５は、データ読出表示装置を示す図である。データ読出表示装置は、不揮発性メモリ１３が記憶した情報を読み出す読出部（メモリ解読装置）と、読み出した情報を表示する表示部（回収メモリ状態表示装置）とを備える。表示部は、例えば、通電時間、点灯累積時間（点灯時間）、停電回数、使用温度、不具合発生内容（故障内容）を文字や画像でＬＣＤ等のディスプレイに表示する。
【００１９】
以上のように不揮発性メモリに記憶されたデータを読み出すことにより、誘導灯１００の改良に役立つ情報を得ることができる。また、故障の再発を防止するために役立つ情報を得ることができる。
【００２０】
なお、上記説明では、定期的に誘導灯１００の構成部品の状態を不揮発性メモリ１３に記憶するとした。しかし、マイコン１０の電源が遮断され、マイコン１０がリセットされる場合やＲＥＳＥＴ信号が入力されリセットされる場合にも、同様に不揮発性メモリ１３に遮断直前の構成部品の状態を記憶させるとしても構わない。また、不揮発性メモリ１３に記憶した情報は、マイコン１０が再度リセットされた場合でも上書きせず、履歴として全てのデータを蓄積するようにしても構わない。
ここで、マイコン１０の電源が遮断される場合とは、例えば、停電時や誘導灯１００が電源５０から取り外されている場合に電池４が取り外された場合や、停電が長く続き電池４の電力を使い切った場合等である。
【００２１】
また、マイコン１０は、例えば、回路等の構成部品に異常（故障）が発生したという情報を以下のように得て、不揮発性メモリ１３に記憶する。
（ａ）マイコン１０は、例えば、商用電源５０からの電力の供給があるにもかかわらず、出力電圧検出信号が正常な値を示していない場合は、ＤＣ／ＤＣコンバータＡ２の故障であると判断し、不揮発性メモリ１３に記憶する。なお、商用電源５０からの電力の供給があるか否かは、電圧検出部６が検出した電圧に基づき入力された停電判定信号で判断する。
（ｂ）マイコン１０は、商用電源５０からの電力の供給が無く（停電を示す停電判定信号が入力されており）、電池電圧検出信号が正常な電池電圧を示しているにもかかわらず、出力電圧検出信号が正常な値を示していない場合は、ＤＣ／ＤＣコンバータＢ３の故障であると判断し、不揮発性メモリ１３に記憶する。
（ｃ）マイコン１０は、出力電圧検出信号が正常な値を検出しているにもかかわらず、ＬＥＤアレイ異常が検出されたことを示すランプ異常検出信号が入力された場合は、ランプ点灯装置９の故障、ＬＥＤアレイＡ７又はＬＥＤアレイＢ８の故障、あるいはＬＥＤアレイＡ７又はＬＥＤアレイＢ８が接続されていない状態であると判定し、不揮発性メモリ１３に記憶する。例えば、ＬＥＤアレイＡ７やＬＥＤアレイＢ８の接続有無については、図６に示す折り返し回路により特定することができる。
図６は、ＬＥＤアレイＡ７やＬＥＤアレイＢ８の接続有無を検出するための折り返し回路を示す図である。図６（ａ）は、折り返し回路を設けていない回路を示す図であり、図６（ｂ）は、図６（ａ）に示す回路に折り返し回路を設けた回路を示す図である。例えば、接続コネクタのリード線が断線等した場合には、折り返し回路からの信号はマイコン１０に返らない。一方、接続コネクタに異常はないが、ＬＥＤがオープン故障した場合には、折り返し回路からマイコン１０へ信号が返る。したがって、ＬＥＤアレイＡ７やＬＥＤアレイＢ８の接続が無く、ＬＥＤ電流が検出されないのか、ＬＥＤがオープン故障したために電流が検出されないのかを特定できる。
（ｄ）マイコン１０は、出力電圧検出信号が正常な値を検出しているにもかかわらず、電池電圧検出信号が正常な電池電圧を検出していない場合、充電回路５の故障又は電池４の故障として判定して、不揮発性メモリ１３に記憶する。
なお、信号が正常な値を示しているか否かは、例えば、各信号にしきい値を定めておき、入力されている信号としきい値とを比較して正常であるか否かを判定することができる。
【００２２】
なお、上記説明では、モニタ１９の各ＬＥＤの表示について、自己点検スイッチ１６や点検スイッチ１７を長押しした場合のみ説明した。しかし、例えば、各ＬＥＤは、通常緑ＬＥＤは、商用電源があり、電池が接続されている時に点灯し、赤ＬＥＤは商用電源があり、ＬＥＤアレイが異常な状態である時に点灯し、黄ＬＥＤは動作の点検を実施している時に点滅する。
【００２３】
また、上記説明において、「〜部」と説明したものは、「〜回路」、「〜装置」であってもよく、「〜回路」と説明したものは「〜部」、「〜装置」であっても構わない。また、マイコン１０が行うものとして説明した機能を実現する回路を制御部としても構わない。
【図面の簡単な説明】
【００２４】
【図１】誘導灯１００の外観を示す図。
【図２】誘導灯１００の回路図。
【図３】状態表示部１５０を下（図１のＡ方向）から見た図。
【図４】モニタ１９が構成部品の異常に関する情報を表示する表示方法を示す図。
【図５】データ読出表示装置を示す図。
【図６】ＬＥＤアレイＡ７やＬＥＤアレイＢ８の接続有無を検出するための折り返し回路を示す図。
【符号の説明】
【００２５】
１  ダイオードブリッジ、２  ＤＣ／ＤＣコンバータＡ、３  ＤＣ／ＤＣコンバータＢ、４  電池、５  充電回路、６  電圧検出部、７  ＬＥＤアレイＡ、８  ＬＥＤアレイＢ、９  ランプ点灯装置、１０  マイコン、１１  タイマー、１２  発振子、１３  不揮発性メモリ、１４  ランプ電流検出部、１５  点検・表示部、１６  自己点検スイッチ、１７  点検スイッチ、１８  点灯時間リセットスイッチ、１９  モニタ、５０  電源、５１  遠隔操作スイッチ、１００  誘導灯、１１０  器具本体、１２０  情報表示部、１３０  ＬＥＤユニット、１４０  点灯制御部、１５０  状態表示部、１６０  電源端子台。
【図１】
2009187822.tif 000003
【図２】
2009187822.tif 000004
【図３】
2009187822.tif 000005
【図４】
2009187822.tif 000006
【図５】
2009187822.tif 000007
【図６】
2009187822.tif 000008